(57)【特許請求の範囲】
【請求項１】
中栓と、該中栓を覆う閉位置と該中栓を露呈せしめる開位置との間を旋回自在な開閉蓋部を有する外蓋とを具備し、
該中栓は円筒状排出案内壁を含み、
該外蓋の該開閉蓋部は天面壁及び該天面壁の周縁から垂下するスカート壁を含み、該天面壁の内面には該開閉蓋部が該閉位置にあると該排出案内壁の内周面に密接せしめられる円筒状シール片が付設されている容器蓋において、
該開閉蓋部は軸線方向に伸長可能である少なくとも１個のヒンジ片を介して旋回自在に接続されており、
該開閉蓋部の該スカート壁の内周面における、該ヒンジ片に対して直径方向反対側の領域には、該開閉蓋部が該閉位置に旋回動せしめられる際に該排出案内壁の上端部に当接して該開閉蓋部を軸線方向上方に移動せしめる膨出部が形成されている、
ことを特徴とする容器蓋。
【請求項２】
中栓と、該中栓を覆う閉位置と該中栓を露呈せしめる開位置との間を旋回自在な開閉蓋部を有する外蓋とを具備し、
該中栓は円筒状排出案内壁を含み、
該外蓋の該開閉蓋部は天面壁及び該天面壁の周縁から垂下するスカート壁を含み、該天面壁の内面には該開閉蓋部が該閉位置にあると該排出案内壁の内周面に密接せしめられる円筒状シール片が付設されている容器蓋において、
該開閉蓋部は軸線方向に伸長可能である少なくとも１個のヒンジ片を介して旋回自在に接続されており、
該中栓の該排出案内壁の外周面における、該ヒンジ片に対して直径方向反対側の領域には、該開閉蓋部が該閉位置に旋回動せしめられる際に該スカート壁の内周面の下端部に当接して該開閉蓋部を軸線方向上方に移動せしめる膨出部が形成されている、
ことを特徴とする容器蓋。
【請求項３】
該ヒンジ片は周方向に間隔を置いて２個配設されており、該ヒンジ片の各々は上下方向中間部に弧状に延在する部分を有する細長片から構成されており、該弧状に延在する部分が変形することによって該ヒンジ片が軸線方向に伸長して該開閉蓋部が軸線方向上方に移動せしめられる、請求項１又は２記載の容器蓋。
【請求項４】
該中栓は該排出案内壁の内周面に接続された円形閉塞壁を含み、該閉塞壁には除去領域を規定する破断可能ラインが形成され、該除去領域の上面には上方に延出する被係止手段が付設されており、該外蓋の該開閉蓋部における該天面壁の内面には該シール片の内側に位置する係止手段が付設されており、該開閉蓋部が該閉位置に位置する該外蓋に該中栓を所要とおりに組み合わせると、該係止手段が該被係止手段に係止せしめられ、しかる後に該開閉蓋部を該開位置に旋回せしめると、該係止手段及び該被係止手段を介して伝えられる力によって該破断可能ラインが破断され、該除去領域は該開閉蓋部に付随して移動される、請求項１から３までのいずれかに記載の容器蓋。
【請求項５】
該外蓋は容器の口頸部に装着される装着基部を含み、該中栓は該装着基部に囲繞されており、該開閉蓋部は該装着基部に該ヒンジ片を介して旋回自在に連結されている、請求項１から４までのいずれかに記載の容器蓋。
【請求項６】
該外蓋の該開閉蓋部と該装着基部の間には破断可能な複数個の橋絡片が配設されており、該開閉蓋部を該閉位置から該開位置に旋回動せしめる際に該橋絡片が破断される、請求項５記載の容器蓋。
【請求項７】
該ヒンジ片に対して直径方向反対側において、該開閉蓋部の下端には下方及び半径方向外方に延出する係合手段が配設されており、該中栓には該外蓋が該閉位置にせしめられると該係合手段が係合可能な被係合手段が配設されている、請求項１から６までのいずれかに記載の容器蓋。
【発明の詳細な説明】
【技術分野】
【０００１】
本発明は、中栓と外蓋とを具備し、外蓋は中栓を覆う閉位置と中栓を露呈せしめる開位置との間を旋回自在な開閉蓋部を有する容器蓋に関する。
【背景技術】
【０００２】
下記特許文献１に開示されている如く、飲料用容器のための容器蓋として、中栓と外蓋とを具備する容器蓋が提案されている。外蓋は容器の口頸部に装着される装着基部とこの装着基部にヒンジ片を介して旋回自在に装着された開閉蓋部を有する。外蓋の装着基部は中栓を囲繞する。外蓋の開閉蓋部が中栓を覆う閉位置と中栓と露呈せしめる開位置の間を旋回せしめられる。中栓は円筒状排出案内壁を有し、外蓋の開閉蓋部における天面壁の内面には、開閉蓋部が閉位置にせしめられると中栓の排出案内壁の内周面に密接せしめられる円筒状シール片が配設されている。
【先行技術文献】
【特許文献】
【０００３】
【特許文献１】特開２０１３−７１７６２号公報
【発明の概要】
【発明が解決しようとする課題】
【０００４】
然るに、本発明者等の経験によれば、上述した形態の従来の容器蓋には、次のとおりの解決すべき問題が存在する。再封の際に、即ち開位置に移動せしめた外蓋を再び閉位置に戻す際に、外蓋の開閉蓋部が閉位置にせしめられると、開閉蓋部に配設されているシール片が中栓に配設されている排出案内壁の内周面に充分確実に密接され確実なシールが確立されることが重要であり、そのためにはシール片を比較的長く延在せしめることが必要であるが、開閉蓋部の開位置から閉位置への移動は軸線方向に沿った直線動ではなく、ヒンジ片によって規定される旋回軸線を中心とした旋回動である故に、開閉蓋部を開位置から閉位置に旋回する際にシール片と排出案内壁との間に所謂噛み込みが生成されて開閉蓋部の円滑な旋回動が阻害される虞がある。開閉蓋部の円滑な旋回動を確保するためにシール片の延在長さを比較的短くすると、排出案内壁に対するシール片の密封が不充分なものになってしまう傾向がある。
【０００５】
本発明は上記事実に鑑みてなされたものであり、その主たる技術的課題は、再封のために外蓋の開閉蓋部が閉位置に旋回動されると開閉蓋部に配設されているシール片が中栓に配設されている排出案内壁に充分確実に密封されるにも拘らず開閉蓋部の旋回動が充分円滑に遂行される、新規且つ改良された容器蓋を提供することである。
【課題を解決するための手段】
【０００６】
本発明者等は、鋭意検討の結果、外蓋の開閉蓋部を軸線方向に伸長可能であるヒンジ片を介して旋回自在に接続することによって、上記主たる技術的課題を達成することができることを見出した。
【０００７】
即ち、本発明によれば、上記主たる技術的課題を達成する容器蓋の第一形態として、中栓と、該中栓を覆う閉位置と該中栓を露呈せしめる開位置との間を旋回自在な開閉蓋部を有する外蓋とを具備し、
該中栓は円筒状排出案内壁を含み、
該外蓋の該開閉蓋部は天面壁及び該天面壁の周縁から垂下するスカート壁を含み、該天面壁の内面には該開閉蓋部が該閉位置にあると該排出案内壁の内周面に密接せしめられる円筒状シール片が付設されている容器蓋において、
該開閉蓋部は軸線方向に伸長可能である少なくとも１個のヒンジ片を介して旋回自在に接続されており、
該開閉蓋部の該スカート壁の内周面における、該ヒンジ片に対して直径方向反対側の領域には、該開閉蓋部が該閉位置に旋回動せしめられる際に該排出案内壁の上端部に当接して該開閉蓋部を軸線方向上方に移動せしめる膨出部が形成されている、
ことを特徴とする容器蓋が提供される。
本発明によれば、上記主たる技術的課題を達成する容器蓋の第二形態として、中栓と、該中栓を覆う閉位置と該中栓を露呈せしめる開位置との間を旋回自在な開閉蓋部を有する外蓋とを具備し、
該中栓は円筒状排出案内壁を含み、
該外蓋の該開閉蓋部は天面壁及び該天面壁の周縁から垂下するスカート壁を含み、該天面壁の内面には該開閉蓋部が該閉位置にあると該排出案内壁の内周面に密接せしめられる円筒状シール片が付設されている容器蓋において、
該開閉蓋部は軸線方向に伸長可能である少なくとも１個のヒンジ片を介して旋回自在に接続されており、
該中栓の該排出案内壁の外周面における、該ヒンジ片に対して直径方向反対側の領域には、該開閉蓋部が該閉位置に旋回動せしめられる際に該スカート壁の内周面の下端部に当接して該開閉蓋部を軸線方向上方に移動せしめる膨出部が形成されている、
ことを特徴とする容器蓋が提供される。
【０００８】
好ましくは、該ヒンジ片は周方向に間隔を置いて２個配設されており、該ヒンジ片の各々は上下方向中間部に弧状に延在する部分を有する細長片から構成されており、該弧状に延在する部分が変形することによって該ヒンジ片が軸線方向に伸長して該開閉蓋部が軸線方向上方に移動せしめられる。該中栓は該排出案内壁の内周面に接続された円形閉塞壁を含み、該閉塞壁には除去領域を規定する破断可能ラインが形成され、該除去領域の上面には上方に延出する被係止手段が付設されており、該外蓋の該開閉蓋部における該天面壁の内面には該シール片の内側に位置する係止手段が付設されており、該開閉蓋部が該閉位置に位置する該外蓋に該中栓を所要とおりに組み合わせると、該係止手段が該被係止手段に係止せしめられ、しかる後に該開閉蓋部を該開位置に旋回せしめると、該係止手段及び該被係止手段を介して伝えられる力によって該破断可能ラインが破断され、該除去領域は該開閉蓋部に付随して移動されるのが好都合である。該外蓋は容器の口頸部に装着される装着基部を含み、該中栓は該装着基部に囲繞されており、該開閉蓋部は該装着基部に該ヒンジ片を介して旋回自在に連結されているのが望ましい。好適には、該外蓋の該開閉蓋部と該装着基部の間には破断可能な複数個の橋絡片が配設されており、該開閉蓋部を該閉位置から該開位置に旋回動せしめる際に該橋絡片が破断される。該ヒンジ片に対して直径方向反対側において、該開閉蓋部の下端には下方及び半径方向外方に延出する係合手段が配設されており、該中栓には該外蓋が該閉位置にせしめられると該係合手段が係合可能な被係合手段が配設されているのが好ましい。
【発明の効果】
【０００９】
本発明の容器蓋においては、外蓋の開閉蓋部を開位置から閉位置に旋回する際には、ヒンジ片が軸線方向に伸長することによって開閉蓋部が軸線方向に幾分上昇することが許容され、これに起因してシール片と排出案内壁との所謂噛み込みが回避され、シール片が排出案内壁に充分確実に密封されるにも拘らず開閉蓋部の旋回動が充分円滑に遂行される。
【図面の簡単な説明】
【００１０】
【図１】本発明に従って構成された容器蓋の好適実施形態を示す斜面図。
【図２】図１の容器蓋の縦断面図。
【図３】図１の容器蓋における中栓を示す斜面図。
【図４】図３の中栓の縦断面図。
【図５】図１の容器蓋における外蓋を示す背面図。
【図６】図５の外蓋の縦断面図。
【図７】図５の外蓋の底面図
【図８】図１の容器蓋を容器の口頸部に装着した状態を示す縦断面図。
【図９】図８の容器蓋における外蓋を閉位置から開位置に向けて旋回する際の初期状態を示す縦断面図。
【図１０】図８の容器蓋のおける外蓋を閉位置から開位置に向けて旋回する際の中間状態を示す縦断面図。
【図１１】図８の容器蓋における外蓋を開位置まで旋回して状態を示す縦断面図。
【図１２】図８の容器蓋における外蓋を開位置から閉位置に向けて旋回する際の初期状態を示す縦断面図。
【図１３】図８の容器蓋における外蓋を開位置から閉位置に向けて旋回する際の外蓋の膨出部及びヒンジ片の挙動を説明するための縦断面図。
【図１４】図８の容器蓋における外蓋を開位置から閉位置に向けて旋回する際の外蓋と中栓との関係を説明するための縦断面図。
【図１５】図８の容器蓋における外蓋を閉位置に旋回した状態を示す縦断面図。
【発明を実施するための形態】
【００１１】
以下、本発明に従って構成された容器蓋の好適実施形態を図示している添付図面を参照して、更に詳細に説明する。
【００１２】
図１及び図２には本発明に従って構成された容器蓋の好適実施形態が図示されており、全体を番号２で示す容器蓋は中栓４と外蓋６とから構成されている。中栓４はポリエチレン又はポリプロピレンの如き適宜の合成樹脂から射出或いは圧縮成形することができ、同様に外蓋６もポリエチレン又はポリプロピレンの如き適宜の合成樹脂から射出或いは圧縮成形することができる。
【００１３】
図３及び図４を参照して説明すると、図示の実施形態における中栓４は、全体として円筒形状の基壁１０を有する。基壁１０の下端には、下方に延出する円筒形状の内側シール片１２、半径方向外方に延び次いで下方に延びる外側シール片１４、及び内側シール片１２と外側シール片１４との間に位置する円環状突条１６が付設されている。基壁１０の上端部外周面には環状係止突条１８が形成されている。更に、基壁１０の外周面における所定角度位置には被係合手段を構成する１個の弧状突出片２０が形成されている。弧状突出片２０は半径方向外方に向かって厚さが漸次低減されており、その横断面形状は略三角形である。基壁１０の上端には半径方向内側に実質上水平に突出する円環形状の水平壁２２が接続されており、この水平壁の上面内周縁部には実質上鉛直に上方に延びる円筒状排出案内壁２４が形成されている。排出案内壁２４の上端部内周面は上方に向かって半径方向に円弧状に延び、上端部外周面は半径方向外方に半球状に膨出されている。図４に明確に図示されているとおり、排出案内壁２４の内周面には閉塞壁２６が接続されており、これによって排出案内壁２４によって規定されている流路が閉塞されている。図示の実施形態においては、閉塞壁２６は図４において左から右に向かって下方に傾斜せしめられている。閉塞壁２６にはその下面に形成されたスコア（溝）から構成された破断可能ライン２８が形成されている。破断可能ライン２８は略円形で、略円盤形状の除去領域３０を規定している。除去領域３０の上面には上方に延出する被係止手段３２が付設されている。この被係止手段３２は実質上鉛直に上方に延びる支柱部３４を有する。支柱部３４は閉塞壁２６と同心状ではなくて図４において幾分左方に変位されている。この支柱部３４の下端部は上方に向かって漸次断面積が低減する角錐台形状であり、下端部に続く主部は横断面形状が矩形である角柱形状である。支柱部３４の上端には対向する長辺の各々から下方に向かって外方に突出する係止片３６が形成されている。
【００１４】
図１と共に図５及び図６を参照して説明を続けると、図示の実施形態における外蓋６は、装着基部３８と開閉蓋部４０を含んでいる。装着基部３８は全体として略円筒形状であり、その下部には周方向破断可能ライン４２が形成されており、装着基部３８は周方向破断ライン４２よりも上方の主部４４と周方向破断可能ライン４２よりも下方のタンパーエビデント裾部４６に区画されている。周方向破断可能ライン４２は周方向に間隔をおいて周方向に延びるスリット（切溝）４８とスリット４８間に位置する破断可能な橋絡部５０とから構成されている。スリット４８の各々の下側縁の周方向中央部は周方向両側部よりも上方に変位されており、スリット４８の各々の軸線方向幅は周方向中央部においては比較的小さく周方向両側においては比較的大きい。主部４４の内周面には雌螺条５２が形成されており、かかる雌螺条５２は周方向に間隔をおいて位置する複数個の領域において中断されている。主部４４の外周面には、そこに掛けられる指の滑り防止のために、周方向に間隔をおいて軸線方向に延びる多数の突条５１が配設されている。主部４４の内周面上端部には環状係止突条５３が形成されている。主部４４の上端部には若干だけ半径方向内側に延び次いで軸線方向上方に若干だけ延びる付加部５４が付設されている。タンパーエビデント裾部４６の内周面には係止手段５８が形成されている。この係止手段５８は、周方向に間隔をおいてタンパーエビデント裾部４６の内周面から半径方向内方に向かって上方に傾斜して延出する複数個の係止片６０から構成されている。
【００１５】
開閉蓋部４０は略円形状の天面壁６２とこの天面壁６２の周縁から垂下する略円錐台形状のスカート壁６４とを含んでいる。図５を参照することによって明確に理解される如く、開閉蓋部４０のスカート壁６４の下端は装着基部３８の上記付加部５４の上端にヒンジ片６６を介して接続されており、装着開閉蓋部４０は図１、図５及び図６に図示する閉位置と図１０に示す開位置との間を旋回自在である（後述する如く、開閉蓋部４０が装着基部３８に対して閉位置から開位置に旋回される際には、装着基部３８と開閉蓋部４０とを接続している破断可能橋絡片７４が破断されることが必要である）。本発明に従って構成された容器蓋２においては、ヒンジ片６６は軸線方向に伸長可能であることが重要である。図示の実施形態においては、開閉部材４０は周方向に間隔をおいて配設された一対のヒンジ片６６によって装着基部３８に接続されている。ヒンジ片６６の各々は細長片から構成されており、その中間部は弧状に延在している。かようなヒンジ片６６は弧状に延在している部分が直線状に向けて弾性的に変形することによって軸線方向に伸長することができる。所望ならば、一対のヒンジ片６６に代えて１個又は３個以上のヒンジ片を配設することもできる。また、図示の実施形態におけるヒンジ片６６の中間部は周方向に延在せしめられているが、中間部を半径方向外方に延在せしめることもできる。一対のヒンジ片６６の間において、開閉蓋部４０のスカート壁６４の下端には下方に突出する矩形突出片６８が形成され、装着基部３８の付加部５４の上端には上方に突出する矩形突出片７０が形成されている。図１と共に図５を参照することによって理解されるとおり、装着基部３８の付加部５４の上端縁には、更に、一対のヒンジ片６６の周方向両側から一対のヒンジ片６６の直径方向反対側領域の周方向両側までの領域において上方に延びる弧状壁７２が付設されている。一対のヒンジ片６６の直径方向反対側領域においては弧状壁７２が存在せず、一対のヒンジ片６６の直径方向反対側領域には矩形状の切欠７３が存在する。上記弧状壁７２のおける一対のヒンジ片６６から離隔した側の端部においては、周方向に間隔をおいて２個の部位において弧状壁７２の上方への突出量が低減されており、かかる部位の各々には弧状壁７２と開閉部材４０のスカート壁との下端とを接続する破断可能橋絡片７４が配設されている。
【００１６】
図１と共に図５及び図６を参照して説明を続けると、外蓋６の開閉蓋部４０におけるスカート壁６４の外周面における、周方向において上記一対のヒンジ片６６の間の部分には略卵形状の比較的小さい凹部７６が形成されている。一方、スカート壁６４の外周面における、上記一対のヒンジ片６６の直径方向反対側においては、略矩形状の比較的大きい凹部７８が形成されている。この凹部７８には上下方向に間隔をおいて周方向に延びる複数個の突条８０が形成されている。凹部７８の上方には半径方向外方に突出する突出片８１が形成されている。更に、凹部７８の下方には、スカート壁６４の下端から下方及び半径方向外方に延出する係合手段８２、更に詳しくはスカート壁６４の下端から下方に延びる一対の垂下部とかかる垂下部の先端間に接続され実質上水平に半径方向外方に突出する弧状部とから構成された係合手段８２が配設されている。
【００１７】
図６と共に図７を参照して説明を続けると、開閉蓋部４０の天面壁６２の内面には、下方に垂下する円筒状シール片８４が配設されている。天面壁６２の内面には、更に、シール片８４の内側に位置する係止手段８６が配設されている。図示の実施形態における係止手段８６は、天面壁６２の内面から下方に垂下する四角筒８８とこの四角筒８８の対向する２個の側壁の下端から夫々下方に向かって内側に傾斜して突出する一対の係止片９０とから構成されている。四角筒８８はシール片８４に対して同心状ではなくて図６において左方に幾分変位されている。四角筒８８の２個の側壁の各々とシール片８４の内周面との間には補強用接続片９２が配設されている。開閉蓋部４０のスカート壁６４の内周面における上記凹部７８に対応する領域、従って上記ヒンジ片６６が配設されている領域の直径方向反対側の領域、には半径方向内方に膨出する膨出部９４が形成されている。スカート壁６４の内周面下端部には下方を向いた環状片面９６が形成されており、この片面９６の直下には環状被係止溝９８が形成されている。
【００１８】
図２と共に図８を参照して説明すると、中栓４と外蓋６とは、容器蓋２を容器の口頸部１００（図８）に適用するのに先立って所要とおりに組み合わされる。更に詳述すると、
外蓋６内に中栓４を配置し、外蓋６に対して中栓４を図２及び図８に図示する位置まで上昇させる。この際には、外蓋６と中栓４との角度位置を所要とおりに整合、即ち中栓４の被係合手段を構成する弧状突出片２０を外蓋６の係合手段８２に整合せしめ、中栓４の被係止手段３２を外蓋６の係止手段８６に整合せしめる。外蓋６に対して中栓４が図２及び図８に図示する位置まで上昇せしめられると、中栓４の水平壁２２の上面が外蓋６の環状片面９６に当接し、中栓４の係止突条１８が外蓋６の被係止溝９８に係合する。そしてまた、外蓋６の係止手段５３が中栓４の外側シール片１４の下端に係止する。更に、開閉蓋部４０に配設されている係合手段８２が中栓４の弧状突出片２０に弾性的に係合、更に詳しくは係合手段８２の一対の垂下部間に弧状突出片２０が進入する。
【００１９】
中栓４が外蓋６に対して図２及び図８に図示する位置まで上昇されると、更に、外蓋６のシール片８４が中栓４の排出案内壁２４内に進入しシール片８４の外周面が排出案内壁２４の内周面に密接され、かくして排出案内壁２４によって規定されている流路が密封される。また、中栓４の被係止手段３２における支柱部３４が外蓋６の係止手段８６における四角筒８８内に進入する。この際には、被係止手段３２の支柱部３４及び係止片３６（図３）が係止手段８６の係止片９０（図６及び図７）に作用して、係止片９０を下方に向かって内方に傾斜する状態から上方に向かって下方に傾斜する状態に変形し、かくして被係止手段３２における下方に向かって外方に傾斜して延在する係止片３６と係止手段８６における上方に向かって内方に傾斜して延在する係止片９０とが相互に係止される。係止片３６及び係止片９０の相互係止は四角筒８８によって拘束され、係止片３６と係止片９０とが上記のとおりにして一旦相互に係止されると、かかる相互係止は解除されることなく維持される。
【００２０】
図８には容器蓋２が提供される容器の口頸部１００も図示されている。ポリエチレンテレフタレートの如き適宜の合成樹脂或いはガラスから形成することができる容器は円筒形状の口頸部１００を有し、口頸部１００の外周面には雄螺条１０２、その下方に位置する係止あご部１０４、更にその下方に位置する突条係止サポートリング１０６が形成されている。サポートリング１０６は、周知の如く、容器の搬送に利用される。
【００２１】
次に、上記のとおりの容器蓋２の使用様式について説明する。容器の口頸部１００に容器蓋２を装着して口頸部１００を密封する際には、口頸部１００に容器蓋２を被嵌し、閉回転方向、即ち図８において上方から見て時計方向、に回転し、外蓋６の装着基部３８の雌螺条５２を口頸部１００の雄螺条１０２に螺合する。螺合の進行に従って口頸部１００に対して容器蓋２が漸次下降され、図８に図示する位置まで容器蓋２が下降されると、中栓４の突条１６が口頸部１００の頂面に当接し、容器蓋２の更なる下降が阻止される。図８に図示する状態においては、中栓４の内側シール片１２が口頸部１００内に進入して内周面に密接し、中栓４の外側シール片１４が口頸部１００の外周面に密接し、かくして口頸部１００が密封される。外蓋６の装着基部３８のタンパーエビデント裾部４６に配設されている係止手段５８は口頸部１００の係止あご部１０４を弾性的に乗り越えてその下方に位置する。
【００２２】
容器の内容物を消費するためには、例えば外蓋６における開閉蓋部４０のスカート壁６４に形成されている凹部７８及びに形成されている突出片８１に指を掛けて、開閉蓋部４０を開位置に向けて旋回せしめる。この際には、開閉蓋部４０に配設されている係合手段８２が幾分弾性変形することによって中栓４に配設されている弧状突出片２０（被係合手段）から離脱する。また、装着基部３８と開閉蓋部４０とを接続している破断可能橋絡片７４（図１及び図５）が破断される。図８と共に図９及び図１０を参照することによって明確に理解されるとおり、開閉蓋部４０を開位置に向けて旋回せしめると、相互に係止されている開閉蓋部４０の係止手段８６と中栓４の被係止手段３２を介して閉塞壁２６に形成されている破断可能ライン２８に力が加えられ、破断可能ライン２８が図８乃至図１０において左側から右側に向けて漸次破断されて閉塞壁２６における除去領域３０が除去され、排出案内壁２４によって規定されている流路の閉塞が解除される。開閉蓋部４０が図１１に図示する開位置まで旋回せしめられると、開閉蓋部４０に配設されている突出片６８が装着基部３８に配設されている突出片７０を弾性的に乗り越えて突出片７０の外側に位置し、これによって開閉蓋部４０が開位置に弾性的に維持される。しかる後においては、排出案内壁２４の先端部を銜えて吸引することによって、或いは排出案内壁２４を通して内容物を流出せしめることによって、内容物を消費することができる。
【００２３】
内容物の一部を消費した後に口頸部１００を再封する際には、外蓋６における開閉蓋部４０を閉位置に向けて旋回せしめる。図１２及び図１３を参照することによって明確に理解される如く、開閉蓋部４０が閉位置に向けて所定角度を超えて旋回せしめられると、ヒンジ片６６が配設されている領域においてシール片８４が排出案内壁２４の内周面に密接し始めるのに先立って、ヒンジ片６６（図５及び図６）が配設されている領域の直径方向反対側において、スカート壁６４の内周面に配設されている膨出部９４が中栓４の排出案内壁２４の上端部（上端面及び／又は外周面上端部）に当接する。そして、開閉蓋部４０が閉位置に向けて更に旋回せしめられると、排出案内壁２４から膨出部９４に加えられる力によって、図５に二点鎖線で図示する如く一対のヒンジ片６６が伸長され、開閉蓋部４０が装着基部３８及び中栓４に対して軸線方向上方に移動せしめられ、特にヒンジ片６６が配設されている領域側の開閉蓋部４０が上方に持ち上げられる。それ故に、図１４及び図１５を参照することによって明確に理解されるとおり、開閉蓋部４０の配設されているシール片８４は、排出案内壁２４の先端部に噛みこむことなく、排出案内壁２４内に充分円滑に進入することができる。開閉蓋部４０が図８に図示する閉位置まで旋回せしめられると、排出案内壁２４内に進入したシール片８４の外周面が排出案内壁２４の内周面に密接せしめられ、口頸部１００が再封される。
【００２４】
内容物を全て消費した後においては、所謂分別回収の点から、口頸部１００から容器蓋２の略全体を離脱することが望まれる。口頸部１００から容器蓋２を離脱するためには、外蓋６のおける装着基部３８の主部４４に指を掛けて、外蓋６を開回転方向、即ち図８において上方から見て反時計方向に回転する。かくすると、外蓋６の雌螺条５２と口頸部１００の雄螺条１０２の螺合解除に応じて外蓋６は上方に移動せんとするが、タンパーエビデント裾部４６はその内周面に配設されている係止手段５８が口頸部１００の係止あご部１０４に係止している故に上方への移動が阻止され、従って周方向破断可能ライン４２の橋絡部５０（図５及び図６）が破断されてタンパーエビデント裾部４６が主部４４から切り離される。しかる後においては、タンパーエビデント裾部４６を残して外蓋６は開方向への回転と共に上昇して口頸部１００から離脱される。中栓４も外蓋６と共に回転されて上方へ移動し、口頸部１００から離脱される。中栓４が外蓋６と共に口頸部１００から離脱されることなく口頸部１００に残留した場合には、残留した中栓４に指を掛けて口頸部１００から別個に離脱することができる。
【００２５】
以上、添付図面を参照して、本発明に従って構成された容器蓋の好適実施形態について詳細に説明したが、本発明はかかる実施形態に限定されるものではなく、本発明の範囲を逸脱することなく種々の変形乃至修正が可能であることは多言を要しない。例えば、図示の実施形態においては、外蓋６は装着基部３８と開閉蓋部４０とから構成され、開閉蓋部材４０が装着基部３８に旋回自在に接続されているが、所望ならば、装着基部を省略して開閉蓋部を中栓に旋回自在に接続することもできる。また、図示の実施形態における開閉蓋部４０のスカート壁６４の内周面に配設された膨出部９４は所要領域において連続しているが、例えば周方向に間隔をおいて軸線方向に延びる複数個の突条から膨出部を構成することもできる。更に、図示の実施形態においては、スカート壁６４の内周面に膨出部９４を配設しているが、これに代えて或いはこれに加えて排出案内壁２４の所要部位に膨出部を配設することもできる。
【符号の説明】
【００２６】
２：容器蓋
４：中栓
６：外蓋
１０：中栓の基壁
２０：弧状突出片（非係合手段）
２４：排出案内壁
２６：閉塞壁
２８：破断可能ライン
３０：除去領域
３２：被係止手段
３８：蓋の装着基部
４０：開閉蓋部
６２：開閉蓋部の天面壁
６４：開閉蓋部のスカート壁
６６：ヒンジ片
８２：係合手段
８４：円筒状シール片
８６：係止手段
９４：膨出部
１００：容器の口頸部
【図１】
0006634228.tif 000002
【図２】
0006634228.tif 000003
【図３】
0006634228.tif 000004
【図４】
0006634228.tif 000005
【図５】
0006634228.tif 000006
【図６】
0006634228.tif 000007
【図７】
0006634228.tif 000008
【図８】
0006634228.tif 000009
【図９】
0006634228.tif 000010
【図１０】
0006634228.tif 000011
【図１１】
0006634228.tif 000012
【図１２】
0006634228.tif 000013
【図１３】
0006634228.tif 000014
【図１４】
0006634228.tif 000015
【図１５】
0006634228.tif 000016